Podtech/llm-jp-corpus-v4-ja_patent huggingface dataset:
(57)【要約】      （修正有）【課題】竹粉配合の軽量育苗資材として、軽量粒状培土及び軽量培土に籾殻くんたん配合したものと軽量培土に籾殻くんたん配合さらに土を混入したもので軽量育苗培土を提供する。【解決手段】孟宗竹、和竹、笹竹等の竹材を所要の小片に破砕のうえ、加圧押出装置により少なくともその内部圧力が１５Ｋｇ／ｃｍ２以上で加圧混練し、カッターでミンチ状にし且その長さを２０〜２００ｍｍに裁断のうえ、その先端の多孔なノズルより大気中に吐出し、膨潤拡散して硬組織と柔組織の解体と、細胞壁を形成するセルロース及びヘミセルロースをリグニンより解離させた解繊状の竹繊維チョップドストランドを用い、１０〜２００ミクロンの微粉末に粉砕し育苗マットとする。【選択図】図１
2013051952.tif 000002
【特許請求の範囲】
【請求項１】
孟宗竹、和竹、笹竹等の竹材を所要の小片に破砕のうえ、加圧押出装置により少なくともその内部圧力が１５Ｋｇ／ｃｍ２以上で加圧混練し、カッターでミンチ状にし且その長さを２０〜２００ｍｍに裁断のうえ、その先端の多孔なノズルより大気中に吐出し、膨潤拡散して硬組織と柔組織の解体と、細胞壁を形成するセルロース及びヘミセルロースをリグニンより解離させた解繊状の竹繊維チョップドストランドを用い、１０〜２００ミクロンの微粉末に粉砕した粉末であることを特徴とするものである。
【請求項２】
請求項１の竹粉配合の育苗マット、▲１▼籾殻マット▲２▼ロックウール系育苗マット▲３▼天然由来繊維系育苗マットに関するもの。
【請求項３】
請求項１の竹粉配合の軽量粒状培土に関するもの。
【請求項４】
請求項３の竹粉軽量培土に籾殻くんたん配合に関するもの。
【請求項５】
請求項４の竹粉軽量培土に籾殻くんたん配合さらに土を混入したもの。
【発明の詳細な説明】
【技術分野】
【０００１】  本発明は、竹粉配合の軽量育苗資材として、軽量粒状培土及び軽量培土に籾殻くんたん配合したものと軽量培土に籾殻くんたん配合さらに土を混入したものを言う。
【背景技術】
【０００２】  昭和４０年以降、機械移植の普及に伴い、育苗箱を使用した育苗様式が広く普及するようになったが、育苗箱の全重は１箱当たり６Ｋｇ近くに達する等、灌水後の移動作業には多大な労力を必要とし、高齢化が進む今日、より一層、省力化、軽労化が必要とされている。育苗資材製品としては、育苗マット化の流れと育苗培地の軽量粒状化の二つの流れがある。
近年、農協の育苗センター等まとまった単位で播種機による育苗生産が普及し愛媛県においてもこうした方式が普及してきている。
そのため軽量粒状化の方が既存の生産体制において組み込みやすい点が指摘できる。【０００３】  先進製品としましては、▲１▼籾殻マット・水稲用育苗マットとしては、さほど普及は進まなかった。最近は屋上緑化基盤材としての籾殻マットがある。
▲２▼ロックウール系育苗マット・ケイ酸カルシウム系繊維でマット状に形成された寸法５７９×２７９×１６ｍｍ重さ１９０ｇ／枚のボード。一般的な培土を使ったものは６．５Ｋｇ、軽量ボードを使ったものは４．５Ｋｇと軽量化効果が期待できる。
▲３▼天然由来繊維系育苗マット・竹、アシ、パーム等の非木材繊維を材料として成型された軽量ボード。１００％天然素材、生分解を特徴としたものである。【０００４】  軽量粒状培土としましては、農作業の軽減化として水稲育苗作業の共同施設（育苗センター等）の普及により自動播種機、育苗設備等による自動化が進展してきて中で軽量粒状培土のニーズが高まっている。
軽量化のタイプとしては、熱処理した培土を原料としたタイプと天然繊維素材によるタイプがある。
軽量粒状培土については、人工床土のチェック項目として一定の品質に関するガイドラインが示されている。【０００５】
【表１】
2013051952.tif 000003
2013051952.tif 000004
【発明の開示】
【発明が解決しようとする課題】
【０００６】  本発明は、竹粉を原料とした軽量粒状培地で、造粒装置としては、パン型造粒機を使用した。
【表２】
2013051952.tif 000005
【課題を解決するための手段】
【０００７】
【表３】
2013051952.tif 000006
【発明の効果】
【０００８】  本発明は上述の如き製法からなるものであって、竹粉のかさ比重が０．２５である為、竹粉軽量培土の簡易物性試験の方法及び性能基準について最適素材である。
【発明を実施するための最良の形態】
【０００９】
【表４】
2013051952.tif 000007
【実施例１】
【００１０】
【表５】
2013051952.tif 000008
【００１１】粒状培土を実際の育苗用で培土として用いるため、さらにＰＨ調整を行い培土の試作を行った。これらの試作品を、２．８ｍｍの篩を通し、かさ密度、ＰＨ、電気伝導率、水分率の物性試験を行ったので、［００１０］に示す。
竹粉入り粒状培土については既存の培土の７０５以下のかさ密度であり、軽量化可能であることが確認できた。今回は、ＰＨ調整を硫酸第一鉄および硫酸で行った。
【産業上の利用可能性】
【００１２】  ▲１▼粒径３〜４ｍｍ程度の粒状化を想定していたが、粒状にバラツキが見られたこと、及び３０〜４０％が粒状化せず粉状となった。
これは、製造機械と求める精度との差が生じているため、パン型粒状製造機の精度を上げる必要がある。
▲２▼かさ密度が０．６６〜０．７７となった。目標としては０．３程度であるため、竹粉乾燥、バーミキュライト、もしくはパーライト等の軽量材の混入等が考えられる。
【表での簡単な説明】
【００１３】  ［表１］水稲用育苗培土のガイドライン  水稲用育苗培土の好ましい品質（ＪＡ全農）
［表２］軽量粒状化の基本仕様
［表３］粒状培地の簡易物性試験の方法及び性能基準について
［表４］粒状培土における物性試験
［表５］粒状培土試作品における物性試験
【図面の簡単な説明】
【図１】  パン型造粒装置
【図１】
2013051952.tif 000009
(57)【要約】【課題】  カーペットやほこりにいるダニは食品保管戸棚に入りこむことがあり食べ物を汚染する。従来の袋や缶では防げない。アレルギーを発症することがある。本発明は、食料をダニ汚染から守るダニ侵入防止用器を提供する。【解決手段】ダニの侵入を防ぐ素材の箱型用器に同素材の蓋を設け、箱とフタの接する面に弾力性のあるパッキンを設置し、箱側面にダニの侵入路のない通気性のある素材を用い通気口を設ける。【選択図】図１
2013051953.tif 000002
【特許請求の範囲】
【請求項１】
ダニの侵入を防ぐ素材の箱型用器に同素材の蓋を設け、箱とフタの接する面に弾力性のあるパッキンを設置し、箱側面にダニの侵入路のない通気性のある素材を用い通気口を設けたダニ侵入防止用器。
【発明の詳細な説明】
【技術分野】
【０００１】  本発明は食品戸棚の中の食品にダニが侵入することを防ぐ用器に関するものである。
【背景技術】
【０００２】  従来、戸棚の食品の防虫には袋や缶が用いられていた。
【発明の概要】
【発明が解決しようとする課題】
【０００３】  最近の研究で、カーペットやほこりにすむダニが匂いにさそわれて、食品保管戸棚に入りこむことが分った。一度開封し長期間保存された食品には、かなりの量のダニが混入している可能性がある。
従来の防虫用の袋や缶には、かすかなすき間があるため、ダニのような目には見えない極少の虫の侵入を防ぐことは難かしかった。
本発明は以上の問題点を解決するためになされたものである。
【課題を解決するための手段】
【０００４】  ダニの侵入しない素材の箱型（丸型も）用器に同じ素材の蓋を設け、箱と、フタの接する面に弾力性のあるパッキン（パッキング）を設置し、箱側面に、ダニの侵入路のない通気性のある素材を用いた通気口を設ける。
以上の構成よりなるダニ侵入防止用箱
【発明の効果】
【０００５】  人間がダニの混入した食品を食べるとアレルギーを発症することがある。本発明により、アレルギーを防ぐことができ衛生上好ましい。
【図面の簡単な説明】
【０００６】
【図１】  本発明の斜視図
【図２】  本発明の使用状態を示す斜視図
【発明を実施するための形態】
【０００７】  以下、本発明の実施の形態を説明する。
（イ）箱（１）とフタ（２）の接する部分にパッキン（３）を設置する。
（ロ）箱の側面に通気口（４）を設ける。
本発明は以上のような構造である。
本発明を使用するときは箱（１）に食品を入れ蓋（２）をしてとめ金具（５）を掛ける。
【符号の説明】
【０００８】（１）箱、  （２）蓋、  （３）パッキン    （４）通気口
（５）とめ金具
【図１】
2013051953.tif 000003
【図２】
2013051953.tif 000004
(57)【要約】【課題】  従来の園芸ネットは、単一面で蔓性植物を育成するために子蔓、孫蔓が、重なり合って成長を阻害すること有り、多くの収穫を期待することが出来なかった。  また植物の茎を均一に這わすのに手間をかけて蔓を誘引する必要があった。【解決手段】  園芸ネットを２層式にしたことにより、植物の成長と蔓の這う方向を２方面に誘引すること、上面ネット、下面ネットを行き来させることを生育中に出来て、開花と実の収穫への楽しみと、遮光効果によるヒートアイランド対策に大きな効果が期待できる。【選択図】図１
2013051921.tif 000002
【特許請求の範囲】
【請求項１】
蔓性植物を２段方面に誘引することで開花の鑑賞と多収穫を目的とした２層式の園芸ネット。
【請求項２】
２層式による遮光作用、葉の蒸散作用で、周囲の温度を下げる効果がより多く得られるヒートアイランド対策に使用する２層式の園芸ネット。
【発明の詳細な説明】
【技術分野】
【０００１】
この発明は、蔓性植物の生育に欠かせない園芸ネットに関するものである。
【背景技術】
【０００２】
蔓性植物の親蔓、子蔓、および孫蔓などから伸びた蔓は、重なりながら生育、開花するため、従来の園芸ネットで生育させるのは、美観的に見劣りするとともに、実の収穫量が限られている。
【先行技術文献】
【特許文献】
【０００３】
【特許文献１】特開平９−２０５８９６
【発明の概要】
【発明が解決しようとする課題】
【０００４】
以上に述べた従来の園芸ネットでは、、蔓性植物の子蔓、孫蔓がネット上を広く覆うことなく、重なり合いながら生育するため、開花状態を損ない、実の収穫量が限られる点である。
【０００５】
本発明は、このような従来の方式が有していた問題点を解決するものであり、植物が重なり合って生育することなく、２面に誘引し生育させることで実の収穫を多くすることを目的とするものである。
【課題を解決するための手段】
【０００６】
本発明は、上記目的を達成するためにネット途中で上面ネット、下面ネットを編み合わせ結合した方式で２層面ネットを形成して、蔓性植物を２層面のネットに誘引させて栽培することが出来る２層方式の園芸ネットにしたものである。このことで、多くの実を収穫出来る効果が期待できる。
【発明の効果】
【０００７】
本発明の園芸ネットは、親蔓から派生する子蔓、孫蔓を２面のネットに誘引しながら生育するため、上面、下面のネットから綺麗な開花状態を観察でき、多くの実を収穫出来る楽しみを提供できる。  また派生効果として、親葉、枝葉、孫葉が伸びて、緑いっぱいのグリーンカーテンが出来上がり、このグリーンカーテンの遮光効果、葉の蒸散作用でヒートアイランド対策に効果を発揮するものである。
【図面の簡単な説明】
【０００８】
【図１】本発明の園芸ネットの施工例の斜視図である。
【図２】本発明の長尺方式園芸ネットの斜視図である。
【図３】本発明の園芸ネットから派生した両開き園芸ネットの斜視図である。
【発明を実施するための形態】
【０００９】
本発明の実施形態を図１に基づいて説明する。
【００１０】
図１に示すように、園芸ネット１は、ポリエチレン等で柔軟性が有るネット１ａ、１ｂで２層式に形成されている。
【００１１】
この園芸ネット１の上面ネット１ａと支柱２ａ、２ｂは、締結ヒモ、締結バンド等の連結具４で連結固定されている。園芸ネット１の下面ネット１ｂは、園芸ネット１の開口部を形成するために、支柱２ａ、２ｂに開口保持具３ａ、３ｂ、３ｃ、３ｄを連結具４で強固に連結固定して、下面ネット１ｂとも連結固定して園芸ネット１の開口部を形成している。このように構成した園芸ネットを花壇、プランター等の植物植え付け場５に取付て、支柱２ａ、２ｂの先端を建物等に立てかけて固定する。蔓性植物の親蔓は、園芸ネット１の下部面で巻きつき生育し、子蔓、孫蔓は、園芸ネット１ａ、１ｂの上下のネット面いっぱいに広がって生育する。花の状態も見た目もきれいになり、実の収穫への効果を発揮する。以上のように、本実施形態によれば多収穫、遮光効果が得られるものである。。
【実施例】
【００１２】
前述の図１に示す形状の園芸ネット１の実施例として、農園、庭園、ベランダ等で蔓性植物の栽培に広く使用している。
【００１３】
この園芸ネットは、緑のカーテンとして植物を建物の外側に生育させるために使われる。この発明による２層式は、遮光効果、葉の蒸散作用で周囲の温度を下げる効果でヒートアイランド対策に有効な手段である。
【産業上の利用可能性】
【００１４】
本発明は家庭菜園、ベランダ菜園等で蔓性植物の栽培収穫と遮光効果を得るために多くの家庭で利用される。
【００１５】
通路の両側を一面式、天井面を２層式にして花、実の鑑賞が出来る花のトンネルを形成する公園、庭園に広く利用される。
【００１６】
本発明は、建物の壁面や窓等を蔓性植物で覆い、夏の日差しを遮る緑のカーテンを形成できる。このことがヒートアイランド現象の緩和に効果を発揮する。
【符号の説明】
【００１７】
１．  園芸ネット
１ａ．  上面ネット
１ｂ．  下面ネット
２ａ、２ｂ．  支柱
３ａ、３ｂ、３ｃ、３ｄ．  開口保持具
４．  連結具
５．  植物植え込み場
６．  長尺式園芸ネット
７．  両開き園芸ネット
８．  長尺式両開き園芸ネット
【図１】
2013051921.tif 000003
【図２】
2013051921.tif 000004
【図３】
2013051921.tif 000005
(57)【要約】 【課題】従来使用されている靴の防滑具には雪の付着を防ぐためスパイクを短くしたものが多いが、アイスバーンでの使用時には防滑効果が弱いため用心して歩かなければ転倒する危険性があった。又スパイクの長いものは雪が絡んで雪塊になり歩行障害を起こすためその都度雪塊を除去しなければならなかった。【解決手段】  金属板の片面に複数の釘状スパイクを設け、該スパイクの側面に弾性体を接触させて金属板に固設することで解決する。  【選択図】  図1
2013226181.tif 000002
【特許請求の範囲】
【請求項１】
金属板の片面に複数の釘状スパイクを設け、該スパイクの側面に弾性体を接触させて金属板に固設し、この金属板の両側に伸縮性を有する固着手段を設けたことを特徴とする靴用防滑具。
【発明の詳細な説明】
【技術分野】
【０００１】
本発明は凍結路面を歩行時に靴に装着する防滑具に関するものである。
【背景技術】
【０００２】
従来降雪時に使用される靴用防滑具には金属線を網状に加工し随所に突起物を設けたものや金属板を切り起こして突起部を設けたものがある。
【先行技術文献】
【特許文献】
【０００３】
【特許文献１】実新第３１５１１８１号
【特許文献２】特開平９−３１２号
【発明の概要】
【発明が解決しようとする課題】
【０００４】
従来使用されている靴の防滑具は、上記のごとく突起部が短いのでアイスバーンでは防滑効果が弱く転倒の危険があった。又長いスパイクにしたときは雪塊ができるのでその都度除去する必要があった。
【課題を解決するための手段】
【０００５】
金属板2の片面に複数の釘状スパイク3を設け、該スパイクの側面に接触させた弾性体4を金属板に固設しこのこの金属板の両側に設けた通し孔8に伸縮性を有する固着手段をくぐらせ甲側5で固着する。
【発明の効果】
【０００６】
１  スパイクに付着した雪塊はスパイクの側面に接触させて金属板に固設した弾性体の伸縮作用で除去される。  
２  スパイクの押圧力の反動で土踏まず部7が刺激されるので竹踏み効果が生じ歩行時の疲労を軽減する。      
３  固着手段にバンド状の面ファスナーを用いると本発明の靴底への密着度の調整が
でき又着脱が簡単で軽量なため携帯にも便利である。
【図面の簡単な説明】
【０００７】
【図１】本発明の靴用防滑具を装着した靴の側面図である。
【図２】靴用防滑具の底面図である。
【発明を実施するための形態】
【０００８】
本発明の靴用防滑具を使用して凍結路面を歩く時はスパイク面を下にして靴底の土踏まず部7に当て金属板2の両側に設けた通し孔8に固着手段6をくぐらせ靴の甲側5にとりつける。金属板は方形状のステンレスやアルミニゥムなどの防錆材をもちいる。この金属板に防錆材質で釘状のスパイク3を数か所に設け、そのスパイクの側面に弾性体4を接触させた状態で金属板に固設する。
【符号の説明】
【０００９】
１  靴
２  金属板
３  釘状スパイク
４  弾性体
５  甲側
６  固着手段
７  土踏まず部
８  通し孔
【図１】
2013226181.tif 000003
【図２】
2013226181.tif 000004
(57)【要約】      （修正有）【課題】台所用スポンジを保管する際に衛生的な状態で保管する効果の提供を課題とする。また、使用に際して便利であるような保管をする効果の提供を課題とする。【解決手段】台所用スポンジを吊るす連結具を備えたストラップ。【選択図】図１
2013226363.tif 000002
【特許請求の範囲】
【請求項１】
台所用スポンジを台所水道の蛇口やレバー等に吊るす連結具を備えたことを特徴とするストラップ
【請求項２】
台所用スポンジを吊るして保管することを特徴とするストラップ
【請求項３】
台所用スポンジを吊るした状態で保管することと使用することを兼ね備えたことを特徴とするストラップ
【発明の詳細な説明】
【技術分野】
【０００１】  この発明は、台所用スポンジの使用及び保管のためのストラップ（吊紐）に関するものである。
【背景技術】
【０００２】  台所用スポンジは台所（食器や食品洗い）専用である。
台所専用のため、台所において保管している。【０００３】  また、通常は流しに備え付けの置き台や専用ラックに置いて保管している。【０００４】  しかしながら、流しに備え付けの置き台や専用ラックに置いている場合、台所用スポンジに水分が残り、微生物や細菌によりカビや悪臭の原因となり、不衛生な状態になることがあるという欠点があった。【０００５】  また、流しに備え付けの置き台や専用ラック自体も不衛生な状態になるという欠点もあった。【０００６】  さらに、台所用スポンジを干す際には、通常であれば洗濯場で干すこととなり、台所用スポンジを台所と洗濯場間持ち歩くこととなり、使用後の濡れた台所用スポンジを持ち歩くのは現実的ではなく、かつ、台所内で完結しないため、いざ使用する際に不便であるという欠点があった。
【先行技術文献】
【特許文献】
【０００７】
【特許文献１】特開２００６−３１２００３号公報
【特許文献２】特開２００７−１９５９１６号公報
【発明の概要】
【発明が解決しようとする課題】
【０００８】  本発明は、以上のような従来の欠点に鑑み、台所用スポンジを保管する際に衛生的な状態で保管する効果の提供を課題とする。
また、使用に際して便利であるような保管をする効果の提供を課題とする。
【課題を解決するための手段】
【０００９】  以上の課題を解決するために、本発明は台所用スポンジを置いて保管するのではなく吊るして保管、及び、使用する方法を構成している。
【発明の効果】
【００１０】  本発明は、ストラップ（吊るし紐）によって台所用スポンジを吊るし、保管するものである。【００１１】  ストラップは長さ２０センチメートル〜２５センチメートルのゴム紐の片方の端に台所用スポンジをとめるためのとめ具をつける。もう片方の端はマジックテープもしくはボタンにより台所水道の蛇口やレバー等にストラップを固定できるようになっている。【００１２】  したがって、このストラップを使用すると、台所用スポンジを吊るして保管することができる。【００１３】  さらに、台所用スポンジを吊るした状態で使用することも可能であり、取り出して使用し、その後保管するという両方の時点において手間がかからず便利である。
【図面の簡単な説明】
【００１４】
【図１】図１は台所用スポンジを吊るすためのストラップの説明図である。（実施例１）
【図２】図２は台所水道の蛇口やレバー等に台所用スポンジをストラップで吊るす使用方法の説明図である。（実施例２）
【発明を実施するための形態】
【００１５】  台所用スポンジを吊るして保管するという目的を、ストラップによって実現した。
【実施例１】
【００１６】  図１は、本発明を実現するためのストラップである。
【実施例２】
【００１７】  図２は、本発明を実現するために、台所水道の蛇口やレバー等に台所用スポンジをストラップで吊るし保管、及び、使用する方法である。
2013226363.tif 000003
2013226363.tif 000004
【手続補正書】
【提出日】平成24年6月21日(2012.6.21)
【手続補正２】
【補正対象書類名】図面
【補正対象項目名】全図
【補正方法】変更
【補正の内容】
【図１】
2013226363.tif 000005
【図２】
2013226363.tif 000006
(57)【要約】      （修正有）【課題】空に高く揚げて楽しむ構造にもかかわらず、卓上に飾っても一寸した風圧で直ぐ倒れたりせず、卓上にキチンと立てられ、縁起の良いインテリアとして様々な用途に生かされるミニチュアの凧を提供する。【解決手段】ミニチュアの凧の裏面に支柱脚５を装備する事によって、立体化した凧にした。また、支柱脚５は、組み立てる前は、折りたたむと凧より短くなるので、凧のポリ袋に収納出来、商品取扱上問題がないばかりか、支柱面下部はノベルティの広告宣伝に最適となる。【選択図】図１
2013226366.tif 000002
【特許請求の範囲】
【請求項１】
（１）  長方形のコートボール紙等を使用して、凧の裏面下部に接着固定する接面部（１）、底面部（２）、支柱面上部（３）、支柱面下部（４）を設けて、夫々の境界に折線を施し、組み立てると形成される支柱脚（５）を有する凧。（２）  接面部（１）は、両面テープ（６）等で予め、凧の裏面下部に接着固定する。（３）  組み立てる際、支柱面上部（３）に、両面テープ（７）等で、支柱面下部（４）の先端を接着固定する。（１）、（２）、（３）からなる支柱脚（５）を有する立体化したミニチュアの凧。
【発明の詳細な説明】
【技術分野】
【０００１】古来、縁起物の凧は、空に揚げる物なので、インテリアとして部屋に飾るようには作られていない。
【背景技術】
【０００２】凧を部屋に飾る場合は、壁に立て掛けても、一寸した風圧で直ぐ倒れるので、釘に吊下げたりしている。
【発明の開示】
【発明が解決しようとする課題】
【０００３】凧自体が卓上に立つようにすればと考える。
【課題を解決するための手段】
【０００４】（１）  長方形のコートボール等を使用して、凧の裏面下部に接着固定する接面部（１）、底面部（２）、支柱面上部（３）、支柱面下部（４）を設けて、夫々の境界に折線を施し、組み立てると形成される支柱脚（５）を有する凧。（２）  接面部（１）は、両面テープ（６）等で予め、凧の裏面下部に接着固定する。（３）  組み立てる際、支柱面上部（３）に、両面テープ（７）等で、支柱面下部（４）の先端を接着固定する。（１）、（２）、（３）からなる支柱脚（５）を有する立体化したミニチュアの凧。
【発明の効果】
【０００５】卓上に立ったミニチュアの凧は、縁起の良いインテリアとして生きる。
【発明を実施するための最良の形態】
【０００６】立体化したミニチュアの凧を、応接間や玄関のカウンター等、様々な卓上に飾れば、縁起もののインテリアとして生きる。
【実施例】
【０００７】お正月や誕生祝のインテリアとしては勿論のこと、普段の日でも、独特の明るい雰囲気を醸し出すので、喜ばれる。
【産業上の利用可能性】
【０００８】支柱脚（５）の支柱面下部（４）は、ノベルティの宣伝広告に最適と考える。亦、支柱脚（５）は折りたたむと、凧より短くなり、凧のポリ袋に収納出来るので、商品としての扱いに問題がない。
【図面の簡単な説明】
【０００９】
【図１】立体化した凧の裏面斜視図。
【図２】立体化した凧の正面斜視図。
【図３】支柱脚（５）の展開図。
【符号の説明】
【００１０】１．接面部２．底面部３．支柱面上部４．支柱面下部５．支柱脚６．両面テープ７．両面テープ
【図１】
2013226366.tif 000003
【図２】
2013226366.tif 000004
【図３】
2013226366.tif 000005
(57)【要約】      （修正有）【課題】災害時に避難所などで、様々な用途に使用でき、リュックに入れられる非常用洗面器を提供する。【解決手段】上部のみが空いた長方形の箱型状にする。上下を逆にして、椅子や机として使った際の、危険防止のため、上部の縁に滑り止め２を設ける。【選択図】図２
2013226364.tif 000002
【特許請求の範囲】
【請求項１】
上部のみが空いた長方形の箱型状にし、上下を逆にして、椅子や机として使った際の、危険防止のため、上部の縁に滑り止めを設けたリュックに入れられる非常用洗面器。
【発明の詳細な説明】
【技術分野】
【０００１】  本発明は、非常用リュックに入れておき、地震などの災害時、避難所などで洗顔や洗髪、洗濯などをする洗面器としてや、上下を逆にすれば、椅子や机としても使用できる、多目的な防災グッズに関するものである。
【背景技術】
【０００２】従来、洗面器を防災グッズとして備えておいたり、非常用リュックに入れておくといった概念はなかった。
しかし、東日本大震災後、日本人の防災意識も高まり、自分で使う物は自分で備えておくという風潮が広がって来ており、その中に洗面器を入れておく事で、様々な用途に使用できる。
【先行技術文献】
【０００３】
【発明の概要】
【発明が解決しようとする課題】
【０００４】  東日本大震災の被災地では、水道が止まってしまった上に、水がなかなか手に入らず、困ったという話を聞いた。
近くに川や井戸がある場合は、そこから水を汲んで来て、生活用水として使えた地域もあったようだが、一ヶ月近くも風呂に入れなかったり、下着を洗う事もできなかったと言う。
そこで、シャンプーやリンス、タオル、洗濯用洗剤と共に、洗面器を防災グッズとして備えておけば、それらの問題を解決できると思い、非常用リュックに入る形状の洗面器を考案する。
本発明は、以上の問題点を解決するものである。
【課題を解決するための手段】
【０００５】  上部のみが空いた長方形の箱型状にする。
上下を逆にして、椅子や机として使った際の、危険防止のため、上部の縁に滑り止めを設ける。
以上の構成よりなるリュックに入れられる非常用洗面器。
【発明の効果】
【０００６】  万が一、地震などにより、避難生活を余儀なくされた場合、本発明を非常用リュックなどに備えておく事で、洗顔や洗髪、洗濯などをする事ができる。
また、洗面器としてだけでなく、上下を逆にして、椅子や机としても使用する事ができる。
【図面の簡単な説明】
【０００７】
【図１】本発明の斜視図
【図２】本発明の使用状態を示す斜視図
【発明を実施するための形態】
【０００８】  以下、本発明の実施の形態を説明する。
（イ）箱型状の洗面器（１）の上部の縁に、滑り止め（２）を設ける。
本発明は以上のような構造である。
本発明を使用するときは、非常用リュック（３）の底に、箱型状の洗面器（１）をスッポリと入れ、その中に懐中電灯（４）などの防災グッズを入れ、寝室や玄関などの持ち出しやすい場所に置いておき、災害などに備える。
【符号の説明】
【０００９】  （１）箱型状の洗面器、（２）滑り止め、（３）非常用リュック、（４）懐中電灯
【図１】
2013226364.tif 000003
【図２】
2013226364.tif 000004
(57)【要約】【課題】東日本大震災や阪神淡路大震災で被災した女性の方達が手に入らなくて困った物は、生理用品や下着などだったと聞き、そのような物を備えておける非常用リュックはないかと調べてみたが、見受けられなかった。  女性の居る家庭では、第二の非常用リュックとし、このような物を備えておく事を提案する。  本発明は、女性が必要とする物を備えておける、女性のための非常用リュックを提供する。【解決手段】非常用と書かれたリュック状のかばんの表面に、普段は寝室や玄関などに置いておいても違和感のないよう、動物の顔などをあしらったアップリケ状の布をスナップボタンで留められるようにする。  スナップボタンにする理由は、リュックを背負った時に、ボタンやマジックテープだと髪の毛などに絡まる恐れがあるためである。  また、手提げバッグを付属品とする事で、生理用品などをその中に入れておき、避難所などでも人の目を気にする事なく、トイレ等に持ち出す事が出来る。【選択図】図２
2013226365.tif 000002
【特許請求の範囲】
【請求項１】
非常用と書かれたリュック状のかばんの表面に、普段は寝室や玄関などに置いておいても違和感のないよう、動物の顔などをあしらったアップリケ状の布をスナップボタン（スナップボタンにする理由は、リュックを背負った時に、ボタンやマジックテープだと髪の毛などに絡まる恐れがあるため）で留められるようにし、手提げバッグを付属品とする事で、生理用品などをその中に入れておき、避難所などでも人の目を気にする事なく、トイレ等に持ち出す事が出来る女性のための非常用リュック。
【発明の詳細な説明】
【技術分野】
【０００１】  本発明は、地震などの災害の際、すぐに持って外に出られるよう、家の中の身近な場所に備えておく、ぬいぐるみ風の非常用リュックであり、尚且つ女性が日常生活において、なくては困る生理用品や下着などを入れておける工夫がされた防災グッズに関するものである。
【背景技術】
【０００２】従来、非常用リュックというものは、ラジオや懐中電灯、非常食などを入れておく物で、生理用品や下着などを入れられるスペースが十分になかった。
また、女性専用の非常用リュックという物もなかった。
【先行技術文献】
【０００３】
【発明の概要】
【発明が解決しようとする課題】
【０００４】  東日本大震災や阪神淡路大震災で被災した女性の方達が手に入らなくて困った物は、生理用品や下着などだったと聞き、そのような物を備えておける非常用リュックはないかと調べてみたが、見受けられなかった。
女性の居る家庭では、第二の非常用リュックとし、このような物を備えておく事を提案する。
本発明は、以上の問題点を解決するものである。
【課題を解決するための手段】
【０００５】  非常用と書かれたリュック状のかばんの表面に、普段は寝室や玄関などに置いておいても違和感のないよう、動物の顔などをあしらったアップリケ状の布をスナップボタンで留められるようにする。
スナップボタンにする理由は、リュックを背負った時に、ボタンやマジックテープだと髪の毛などに絡まる恐れがあるためである。
また、手提げバッグを付属品とする事で、生理用品などをその中に入れておき、避難所などでも人の目を気にする事なく、トイレ等に持ち出す事が出来る。
以上の構成よりなる女性のための非常用リュック。
【発明の効果】
【０００６】  本発明を見たり知ったりする事で、従来あまり備えておく物ではなかった、生理用品や下着などを、女性が備えるキッカケになる事を望む。
また、リュックにある非常用という文字を普段は隠しておけたり、手提げバッグに生理用品などを入れてから、リュックに入れられる事が、使いやすさに繋がればとも思う。
【図面の簡単な説明】
【０００７】
【図１】本発明の斜視図
【図２】本発明の使用状態を示す斜視図
【発明を実施するための形態】
【０００８】  以下、本発明の実施の形態を説明する。
（イ）非常用と書かれた、リュック状のかばん（１）の四隅に、スナップボタン（２）を      取り付け、動物の顔などをあしらったアップリケ状の布（３）を簡単に取り外しが      出来るようにする。
（ロ）リュック状のかばん（１）には、杭などに掛けて保管ができるよう、フック（４）      を設ける。
（ハ）リュック状のかばん（１）の下部に、名前などが書ける白い布部分（５）を設ける      。
（ニ）名前などが書ける白い布部分（５）は、非常用として使用する時以外は、動物の顔      などをあしらったアップリケ状の布（３）で隠しておく事ができる。
（ホ）リュックの中に入るサイズの、手提げバッグ（６）を付属品とし、万が一、避難所      などでの生活を強いられた場合でも、人の目を気にする事なく、生理用品（７）な      どを外部に持ち出す事ができる。
本発明は以上のような構造である。
本発明を使用するときは、リュック状のかばん（１）の中に、生理用品（７）などを入れた手提げバッグ（６）を入れる。
リュック状のかばん（１）には、動物の顔などをあしらったアップリケ状の布（３）を、スナップボタン（２）により取り付け、非常用という文字や、名前などが書ける白い布部分（５）に書かれた名前などを隠し、寝室や玄関に置いておいたり、壁などに取り付けた杭などに、フック（４）で掛けておき、いざという時は、動物の顔などをあしらったアップリケ状の布（３）を取り外し、非常用リュックとして使用する。
【符号の説明】
【０００９】  （１）リュック状のかばん、（２）スナップボタン、
（３）動物の顔などをあしらったアップリケ状の布、（４）フック、
（５）名前などが書ける白い布部分、（６）手提げバッグ、（７）生理用品
【図１】
2013226365.tif 000003
【図２】
2013226365.tif 000004
(57)【要約】【課題】    トイレで生理用汚物を捨てるときに、包んで捨てられるように、又、予め便器に敷いておいて、大便を綺麗に流せるように、広げて使えるトイレ用ロールペーパーを提供する。【解決手段】  所定の２倍の幅の構成体（１）の片端を長尺の方向に、輪（２）になるように折ってからロールすることにより、広げて使うことが出来ることを特徴とする。【選択図】図１
2013226354.tif 000002
【特許請求の範囲】
【請求項１】
所定のトイレ用ロールペーパーの２倍の幅の構成体（１）の片端が、長尺の方向に、輪（２）になるように半分に折り曲げたものをロールし、用途に合わせて（３）から広げて使えるようにしてある。２枚重ねのロールペーパーの場合は、所定のトイレ用ロールペーパーの２倍の幅のペーパーを２枚重ね、両方の端を圧縮加工などで繋げて（４）から、長尺の方向に、片端が輪（２）になるように半分に折りロールする。（３）から広げて使う。２枚重ねの場合は特に厚みが出るため、ミシン目で切断しやすいように、ミシン目に着色を施して（５）分かりやすくした、広げて使えるトイレ用ロールペーパー
【発明の詳細な説明】
【技術分野】
【０００１】  この発明は、トイレ用のロールペーパーに係り、幅の広いペーパーを２つに折ってロールすることにより、広げて使えるトイレ用のロールペーパーに関するものである。
【背景技術】
【０００２】  従来、殆ど使われているトイレ用のロールペーパーは、幅が１１．４ｃｍ程の、長尺のペーパーを巻いたものである。排便の拭き取りだけならばそれでもよいが、汚物を包んだり、敷いたりする場合は、幅が狭すぎて使い勝手が悪い。
【先行技術文献】
【０００３】
【発明の概要】
【発明が解決しようとする課題】
【０００４】  従来の物には、次のような欠点があった。
（イ）幅が１１．４ｃｍ程の、横幅の狭い長尺のペーパーを巻いて作ってある為、生          理用ナプキンの汚物を処理する場合は、ぐるぐる巻きにするしかない。
その為、大量のペーパーを使ったり、汚物がはみ出したりして、綺麗に包む事          ができない。
（ロ）大便をする時に、便器に予めペーパーを敷いておくと、便器を汚す事無く大便          を流すことができるが、幅が狭すぎるため一部分しか覆う事ができない。幅を          広くする為に折ってみると、Ｖの字になってしまい上手に便器を覆う事ができ          ない。
本発明は、以上のような欠点をなくすためになされたものである。
【課題を解決するための手段】
【０００５】  従来のトイレ用ロールペーパーの倍の幅のペーパーを、長尺の方向に２つ折りにしてロールする。
２枚重ねのトイレ用ロールペーパーの場合も同じく、従来のトイレ用ロールペーパーの幅が２倍のペーパーの両端を、１枚ずつバラバラにならないように圧縮加工処理等をしてから、長尺の方向に２つ折りにしてロールする。
２枚重ねの場合は特に厚みがでるため、ミシン目で切断してもらえるように、ミシン目に着色を施す。
本発明は、以上の構成よりなる、広げて使えるトイレ用ロールペーパーである。
【発明の効果】
【０００６】    （イ）以前日本のトイレでは、ちり紙が主流だったので、包むという行為が為せた。          トイレ用のロールペーパーでも、広げて使えるトイレ用ロールペーパーなら、          ちり紙を使っていた時のように、生理用ナプキンの汚物を包んで綺麗に処理す          ることができる。
（ロ）誰しも公共の施設では勿論職場や家庭のトイレでも、大便で便器を汚したまま          出て来たくは無いので大便をする時は神経を使うが、予め便器にトイレ用ロー          ルペーパーを敷いて置けば、多少の水分では破れる事も無く、ペーパーは大便          を載せたまま綺麗に流れてくれる。便器に敷くときに、広げることにより幅の          広くなったトイレ用ロールペーパーだと、従来のトイレ用ロールペーパーの様          に便器を覆うことに苦心する事も無く、簡単に便器を広く覆う事が出来るので          、大便をする時に神経を使うことも、汚してしまった便器を拭き取ることも、          心苦しくトイレを退去する事も無い。
【図面の簡単な説明】
【０００７】
【図１】この考案のロールペーパーを、巻き芯に巻いてロールペーパーとした際の斜視図。
【図２】この考案の示すロールペーパーの展開図。
【図３】２枚重ねタイプの展開図。
【発明を実施するための形態】
【０００８】  以下、本発明を実施するための最良の形態について説明をする。
横幅が所定のトイレ用ロールペーパーの倍の長さの構成体（１）を、片端が輪（２）になるように長尺の方向に半分に折ってからロールする。
２枚重ねの場合は、横幅が所定のトイレ用ロールペーパーの２倍の長さのペーパーを２枚重ねて、両方の端を、圧縮加工などで繋げてから（４）片端が輪（２）になるように長尺の方向に折ってからロールする。
ミシン目からミシン目までの間隔は、所定のトイレ用ロールペーパーより、若干長めで、ボックスティッシュのペーパーの縦長部程とする。
特に、２枚重ねの場合は厚みが出るため、ミシン目で切断しやすいように、ミシン目に着色を施して（５）分かりやすくしておく。
本発明は、以上のような構造である。
これを使用するときは、畳んである部分を広げて幅を広くしてから、生理用の汚物を包んだり、大便による汚染防止のために、予め便器に敷いたりすればよい。
【符号の説明】
【０００９】１．ロールペーパー構成体
２．輪の部分
３．離れている部分
４．圧縮加工処理などをして、２枚繋がった部分
５．ミシン目部分
６．ロールペーパー
７．巻き芯
Ｌ間隔
【図１】
2013226354.tif 000003
【図２】
2013226354.tif 000004
【図３】
2013226354.tif 000005
(57)【要約】【課題】紙状長方吸湿部材を用いて足指間の湿気を低減することで、足指から生じる悪臭や雑菌の低減を目的とする【解決手段】紙状長方吸湿部材に足指５本がスムーズに入る大きさの切れ目を入れ、其処に足指を各々個別に差し込む事で足指がお互いに触れる面積を減じ、それにより足指間から生じる湿気を低減させる事を特徴とする【選択図】図１
2013226357.tif 000002
【特許請求の範囲】
【請求項１】
薄く柔らかく肌に優しい紙状長方吸湿部材であって、足指の親指から小指に至る５本の各指が、独立してスムーズに押し入ることを可能にした各足指の大きさに応じる切れ目５か所を特徴とする足指間湿気低減シート。
【請求項２】
前記紙状長方吸湿部材は、薄く柔らかい紙状の素材を複数枚重ねることで、強度と吸湿性がより強くなることを特徴とする請求項１記載の足指間湿気低減シート。
【請求項３】
前記紙状長方吸湿部材になされている切れ目の内、親指の切れ目については、他の指の切れ目より大きく切れていることを特徴とする請求項１記載の足指間湿気低減シート。
【請求項４】
前記紙状長方吸湿部材になされている切れ目が更に裂けて大きくならぬよう切れ目の両端部分に裂け留め防止紙状吸湿部材を重ね合わせた請求項２記載の足指間湿気低減シート。
【請求項５】
前記紙状長方吸湿部材の大きさと形状は、足指５本よりも一回り大きい長円形等でも良く形状は問わない、色については、靴下を履いた際それ自体が目立つ事の無い様に肌色を特徴とする請求項１記載の足指間湿気低減シート。
【請求項６】
前記紙状長方吸湿部材は気持ちを良くする香りや除菌、抗菌素材が含まれる事を特徴とする請求項１記載の足指間湿気低減シート。
【発明の詳細な説明】
【技術分野】
【０００１】  本発明は、一般的に湿気や汚れを低減させる紙や布等に関する。
【背景技術】
【０００２】  従来の足指間湿気低減部材は、形状が複雑なものが主体である。【０００３】  従来の足指間湿気低減部材は、湿気を低減させ汚れや悪臭を低減させる事を主体としている。
【発明の開示】
【発明が解決しようとする課題】
【０００４】  前記の如く、足指間においては素足の場合を除き、靴下又靴を履いた場合は特に湿気が足指の間にこもり、皮膚病や雑菌等から生じる悪臭が健康、美容の両面から問題と成っているのが現状である。【０００５】  上述を解決しようとする従来の品は、指の形状に合わせてなされたものが多く、形状が複雑で製作の過程も多く、使用する際も上手に足指を合わせる等の苦労がいる。【０００６】  本発明は、この様な点に鑑み、なされたものであり、その目的は、足指の幅より一回り大きい薄く柔らかい紙状長方吸湿部材を複数枚重ねてシートにし、足指５本が各々個別に入る大きさの切れ目を入れるだけで、単純、安価で且つ容易に足指間の湿気を少なく快適に維持することができるようにすることにある。
【課題を解決しようとするための手段】
【０００７】  上記の目的を達成しようとする本発明の足指間湿気低減シートは、薄く柔らかく肌に優しい紙状長方吸湿部材であって、足指の親指から小指に至る５本の各指が、独立してスムーズに押し入ることを可能にした各足指の大きさに応じる切れ目５か所を特徴とする。
【０００８】  前記紙状長方吸湿部材は、薄く柔らかい紙状の素材を複数枚重ねることで強度と吸収性がより強くなり、又同部材になされている切れ目の内、親指の切れ目については、他の指の切れ目より大きく切れており、更には、押し入れる際切れ目が更に裂けて大きくならないよう裂け留防止紙状吸湿部材を重ね合わせ場合もある。
【０００９】  前記紙状長方吸湿部材の形状は、足指５本より一回り大きければ長円形等でも良く、形状は問わない、色については、靴下を履いた際それ自体目立つ事のないように肌色が望ましく、更には、気持ちを良くする香りや除菌、抗菌素材を含むことでより快適になる。
【発明の効果】
【００１０】以上説明したように本発明によれば、薄く柔らかく肌に優しい紙状長方吸湿部材による足指間湿気低減シートは、足指の親指から小指に至る５本の各指が独立して押し入ることを可能にした、各足指の大きさに応じる並列５か所の切れ目が有り、いとも簡単に足指５本を根元まで押し込むことができる、この足指間湿気低減シートを用いる事で各足指間は、足指間湿気低減シートの介在で隣同士の指が直接触れる面積は大きく減じる、従って指が接する中で生じる湿気は、足指間湿気低減シートに吸収され、当該湿気が原因と成る雑菌の繁殖が大きく低減することが可能と成り、悪臭防止、水虫等の発生防止等に極めて有効である。
【発明を実施するための最良の形態】
【００１１】  以下本発明の実施の形態を図面に基づき詳細を説明する。【００１２】  図１はその正面図その１、図２はその中央部の縦断面図、図３はその使用の状況を示す外観図、図４は、正面図その２である。【００１３】  図その１、図２に示すように足指間湿気低減シート１，２は薄く柔らかく肌に優しい紙状長方吸湿部材でできており、１は右足用、２は左足用である、そして足指をスムーズに差し入れることが可能な長さの切れ目３から７の５か所が入っている。【００１４】  図１に示す３の切れ目は、親指が差し込まれる切れ目であり、その為に切れ目の長さが他の４から７の切れ目より大きく切られている、同じく４には人差し指、５には中指、６には薬指、７には小指が差し込まれる。【００１５】  図１、図２に示す３から７の切れ目に足指を各々差し入れると各箇所の切れ目は、足指に押されて左右に押し分けられ、何の抵抗も無くスムーズに足指の奥まで入り込み足指間湿気低減シートが所定の位置に収まる【００１６】  図３は、紙状長方吸湿部材が前述の通りの手順により所定の位置に収まった形態を示しており、９は、親指によって押し分けられた結果、親指右側面に押し分けられた同シートの一部が装着し、１０は、人差し指によって押し分けられた結果、人差し指左側面に装着され、各々の指が直接触れる事の無い状態となっている、それによって、この足指間湿気低減シートが湿気を吸収し雑菌、悪臭の発生を低減させている。【００１７】  図３に示す足指間湿気低減シート１１の部分には、雑菌や水虫を防ぐ医薬品又良い気持ちにする香水等を付与することで快適な足指空間の状態となる。【００１８】  図４に示すように足指間湿気低減シートの切れ目が足指を差し込む際に更に大きく裂ける事無いように切れ目の上下部分に紙状長方吸湿部材１３を重ねた形態を示す。【００１９】  以上本発明の実施の形態及び実施例を説明したが、足指間湿気低減シートは薄く柔らかい紙状の素材で出来ていることから、装着した状態で靴下を履いても全く違和感無く、むしろ５本指靴下を履いている感覚が生じ、快適な足指空間を得られる。
【図面の簡単な説明】
【００２０】
【図１】本発明の正面図である。
【図２】図１の中央縦断面図である。
【図３】図１使用外観図である。
【図４】本発明の正面図２である
【図１】
2013226357.tif 000003
【図２】
2013226357.tif 000004
【図３】
2013226357.tif 000005
【図４】
2013226357.tif 000006
(57)【要約】【課題】  ベルトとしての機能を果たしつつ様々なサイズの鞄や、通常、ズボンのベルト通しに引っ掛けるフックの付いた製品などを直接ベルトに吊り下げ気軽に取り外し、活用出来るように、ベルトのバックル部から先端側にかけて一箇所又は数箇所、フックを掛けやすい形状のハンガー部を設けた吊り下げ用ハンガー付きベルト【解決手段】  ベルトのバックル部（１）から先端側（２）にかけて１箇所又は数箇所フックを掛けやすい形状のハンガー部（３）を設けた吊り下げ用ハンガー付きベルトを特徴とする。【選択図】図１
2013226358.tif 000002
【特許請求の範囲】
【請求項１】
ベルトのバックル部（１）から先端側（２）にかけて１箇所又は数箇所フックを掛けやすい形状のハンガー部（３）を設けた吊り下げ用ハンガー付きベルト
【発明の詳細な説明】
【技術分野】
【０００１】この発明はベルトのバックル部から先端側にかけて１箇所又は数箇所フックを掛けやすい形状のハンガー部を設けた吊り下げ用ハンガー付きベルトに関するものである。
【背景技術】
【０００２】従来、ベルトはズボンのずれ落ちを防ぐための製品であった。
またベルト通しに吊り下げる形態の鞄又はベルト通しに吊り下げる形態の製品があった。
また腰に巻く形態の鞄があった。
また腰まわりに取り付ける様々の製品があった。
またベルトに取り付ける形態の様々の製品があった。
【発明の開示】
【０００３】従来、ベルトにはベルトだけの機能、腰に巻く形態の鞄にはその機能、それぞれ単一の機能しか無いため、ベルトと腰に巻く鞄の二つの機能を得るためには二重に着用する必要があった。
また、従来ベルト通しは物を吊り下げるための製品としては作られてないため、ベルト通しに吊り下げる形態の鞄、製品をベルト通しに吊り下げる事によって、著しくベルト通しを傷める事になった。
またベルトに取り付ける形態の製品の数々は取り付ける際に一旦ベルトを巻きなおしながら装着するなどの手間を要した。
本発明は、以上のような欠点をなくし、様々な機能をベルトに集約させるためになされたものである。
【課題を解決するための手段】
【０００４】ベルトのバックル部（１）から先端側（２）にかけて１箇所又は数箇所フックを掛けやすい形状のハンガー部（３）を設けた吊り下げ用ハンガー付きベルト。
【発明の効果】
【０００５】ベルトに吊り下げ用ハンガーを設ける事で、従来ベルト通しに吊り下げていた鞄又は様々な製品を直接ベルトに吊り下げることが出来る。
また、数箇所ハンガー部を設ける事で従来腰に巻く形態の鞄と同等の大きさの鞄を吊り下げる事が可能になるため、その鞄とベルトの機能を集約させる事が出来る
また鞄、製品の取り外しがベルトを装着したまま行えるために様々な状況で必要な鞄、製品を簡単に入れ替える事が出来る。
【発明を実施するための最良の形態】
【０００６】以下、本発明を実施するための最良の形態について説明する。
ベルトのバックル部（１）から先端側（２）にかけて一箇所、または数箇所切断し切断されたベルトの間（１１）に金属製の吊り下げ用ハンガー（３）を設ける。
切断したベルトと吊り下げ用ハンガーの結合の仕方としては、吊り下げ用ハンガーの両端（４）に二箇所、穴（５）を儲け、切断されたベルトの一端（６）に吊り下げ用ハンガーの両端の穴（５）と同じ大きさの穴（７）を儲け、リベット（８）を吊り下げ用ハンガーの両端の穴（５）と切断されたベルトの一端の穴（７）と吊り下げ用ハンガーの両端の穴（５）と同じ大きさの穴（９）を設けた裏板（１０）まで通してリベットの片側をかしめて結合する。
他の結合の仕方としては、吊り下げ用ハンガーの両端（１２）に切断したベルトが通る大きさの穴（１３）を設けて、その穴（１３）に切断したベルトの一端（１４）を巻きつけて縫いこんで結合する。
切断されたベルトと吊り下げ用ハンガーを結合した吊り下げ用ハンガー付きベルト。
本発明は、以上の様な構造である。
これを使用するときは、ベルトのハンガー部にフック付きの鞄、製品などを吊り下げて、ベルトの機能を果たしつつ、吊り下げる鞄、製品の機能も活用すればよい。
【図面の簡単な説明】
【０００７】
【図１】本発明の平面図である。
【図２】本発明の分解斜視図である。
【図３】本発明の分解斜視図である。
【図１】
2013226358.tif 000003
【図２】
2013226358.tif 000004
【図３】
2013226358.tif 000005